(57)【要約】【課題】キャッチ棒に引っ掛かった毛髪を除去し易いヘアキャッチャーを提供する。【解決手段】浴室の洗い場の床面の排水口に配設するヘアキャッチャー１である。基底部２１から上方に向けてキャッチ棒２２を突設したキャッチ部材２と、前記キャッチ棒２２が挿通される挿通孔３１及びその内側の排水用孔３２を備えると共に前記挿通孔３１の周縁を前記キャッチ棒２２に引っ掛かっている毛髪を除去する除去部３３とする毛髪除去部材３と、で構成し、キャッチ棒２２を挿通孔３１に挿通させてキャッチ部材２と毛髪除去部材３とを重ね合わせた。【選択図】図１
2009052348.tif 000002
【特許請求の範囲】
【請求項１】
浴室の洗い場の床面の排水口に配設するヘアキャッチャーであって、基底部から上方に向けてキャッチ棒を突設したキャッチ部材と、前記キャッチ棒が挿通される挿通孔及びその内側の排水用孔を備えると共に前記挿通孔の周縁を前記キャッチ棒に引っ掛かっている毛髪を除去する除去部とする毛髪除去部材と、で構成し、キャッチ棒を挿通孔に挿通させてキャッチ部材と毛髪除去部材とを重ね合わせて成ることを特徴とするヘアキャッチャー。
【請求項２】
毛髪除去部材の中央部に排水用孔とは別の上端に水抜き孔を備えたオーバーフロー部を立設して成ることを特徴とする請求項１記載のヘアキャッチャー。
【請求項３】
毛髪除去部材に把手部を設けて成ることを特徴とする請求項１又は２記載のヘアキャッチャー。
【発明の詳細な説明】
【技術分野】
【０００１】
本発明は、主に浴室の排水口に設けられるヘアキャッチャーに関するものである。
【背景技術】
【０００２】
従来から、排水口、特に浴室の排水口にヘアキャッチャーが設けられている（例えば特許文献１参照）。
【０００３】
特許文献１に示されるヘアキャッチャーは、板状をした基底部の上面から上方に複数のキャッチ棒を突出してあり、このキャッチ棒に毛髪を引っ掛けて濾し取ることで毛髪を除去している。
【０００４】
しかしながら、このヘアキャッチャーにおいては、キャッチ棒に引っ掛かった毛髪を除去するにあたり、それぞれのキャッチ棒に引っ掛かった毛髪を指で直接摘まんで基底部側から先端側に向けて移動させて引き抜く必要があり、この除去作業がし難いものであった。
【特許文献１】特開平１０−１９５９５３号公報
【発明の開示】
【発明が解決しようとする課題】
【０００５】
本発明は上記従来の問題点に鑑みて発明したものであって、その目的とするところは、キャッチ棒に引っ掛かった毛髪を除去し易いヘアキャッチャーを提供することを課題とするものである。
【課題を解決するための手段】
【０００６】
上記課題を解決するために請求項１に係る発明にあっては、浴室の洗い場の床面の排水口に配設するヘアキャッチャー１であって、基底部２１から上方に向けてキャッチ棒２２を突設したキャッチ部材２と、前記キャッチ棒２２が挿通される挿通孔３１及びその内側の排水用孔３２を備えると共に前記挿通孔３１の周縁を前記キャッチ棒２２に引っ掛かっている毛髪を除去する除去部３３とする毛髪除去部材３と、で構成し、キャッチ棒２２を挿通孔３１に挿通させてキャッチ部材２と毛髪除去部材３とを重ね合わせて成ることを特徴とするものである。
【０００７】
このような構成とすることで、キャッチ棒２２に引っ掛かった毛髪をそれぞれ摘まんで引き抜くことなく、毛髪除去部材３をキャッチ部材２から引き抜いて外すだけで除去することができ、容易に作業を行うことができるものである。
【０００８】
また、請求項２に係る発明は、請求項１に係る発明において、毛髪除去部材３の中央部に排水用孔３２とは別の上端に水抜き孔３４を備えたオーバーフロー部を立設して成ることを特徴とするものである。
【０００９】
このような構成とすることで、水抜き孔３４の内端縁を本体底部３０よりも高い位置に配置してオーバーフロー口として機能させることができる。
【００１０】
また、請求項３に係る発明は、請求項１又は請求項２に係る発明において、毛髪除去部材３に把手部３５を設けて成ることを特徴とするものである。
【００１１】
このような構成とすることで、ヘアキャッチャー１を排水口から取り外す際に把手部３５を摘まんで容易に取り出すことができると共に、毛髪除去部材３をキャッチ部材２から取り外す際に把手部３５を指で摘まんで、容易に取り外すことができる。
【発明の効果】
【００１２】
本発明にあっては、ヘアキャッチャーのキャッチ棒に引っ掛かった毛髪を除去するにあたり、ぞれぞれのキャッチ棒に引っ掛かった毛髪を指で直接摘まんで引き抜くことなく、毛髪除去部材をキャッチ部材から引き抜いて外すだけで除去することができ、手を汚すことなく且つ容易に作業を行うことができる。
【発明を実施するための最良の形態】
【００１３】
以下、本発明の一実施形態について図１乃至図３に基づいて説明する。
【００１４】
ヘアキャッチャー１は、浴室の洗い場の床面に形成される排水口に設けられる浴室用のものとして説明するが、特に限定はされないものである。
【００１５】
排水口は本実施形態では図示はしないが平面視略円形状をしているものとする。この排水口には、上面でヘアキャッチャー１の周縁部を支持する支持部（図示せず）が設けてある。支持部は、排水口の上端部の周縁に上方及び排水口内方に開口する凹所を形成してその上面として設けたり、あるいは排水口の内壁面から内方に突設してその上面として設けてもよく、特に限定されない。前記支持部の上面にはヘアキャッチャー１が載置されて支持される。
【００１６】
ヘアキャッチャー１は、略環状をした基底部２１（本実施形態では平面視略円環形の板状をした基底部２１）及びこの基底部２１から突設されるキャッチ棒２２を備えたキャッチ部材２と、キャッチ部材２に嵌め込まれる毛髪除去部材３とで構成される。キャッチ部材２の基底部２１は、排水口に合うように任意の形状とすることができ、本実施形態では平面視略円形状をした排水口に合わせて平面視略円形状の外郭形状にしてある。そして、基底部２１の上面からはキャッチ棒２２が突設してある。
【００１７】
キャッチ棒２２は、基底部２１の上面から上方に向けて突設する棒状をしたもので、基底部２１の周方向に略円状に複数配置してある。隣接するキャッチ棒２２間の隙間は、毛髪等が通過し難い間隔としてあり、このキャッチ棒２２に毛髪を引っ掛けて濾し取ることで排水から毛髪を除去するものである。
【００１８】
毛髪除去部材３は、上記キャッチ部材２のキャッチ棒２２が挿通される挿通孔３１を形成した板状の部材で、本実施形態ではキャッチ部材２の基底部２１に合わせて平面視略円形状をしている。挿通孔３１は、上記キャッチ部材２のキャッチ棒２２に対応する部分に形成されるもので、略円状に複数設けたキャッチ棒２２に合わせて周方向に略円状に複数設けてある。また、毛髪除去部材３には排水用孔３２が形成してある。排水用孔３２は、本実施形態では多数の小孔として後述する本体底部３０に形成してあり、この排水用孔３２から浴水等の湯水が排水される。また毛髪除去部材３には、排水用孔３２とは別の水抜き孔３４を形成してもよく、本実施形態では平面視において略中央部に略円形状の水抜き孔３４を形成してある。水抜き孔３４は、周囲の部分をその更に周囲の本体底部３０よりも上方へ向かうように傾斜するオーバーフロー部を立設し、水抜き孔３４の内端縁を本体底部３０よりも高い位置（すなわち排水用孔３２よりも高い位置）に配置してあり、これによって本体底部３０に形成した排水用孔３２からの排水のみでは排水速度が遅く、本体底部３０に溜まっている湯水の水位が水抜き孔３４に達した時に、オーバーフロー口として機能するものである。
【００１９】
また毛髪除去部材３には、把手部３５が設けてある。本実施形態では、本体底部３０の周縁部から上方に突出する縦片３５ａ及び該縦片３５ａの上端から外側方に延設される横片３５ｂとで構成してあり、毛髪除去部材３をキャッチ部材２から取り外す際に把手部３５の横片３５ｂを指で摘まむことで、容易に取り外せるものである。
【００２０】
このヘアキャッチャー１は、毛髪除去部材３の挿通孔３１をキャッチ部材２のキャッチ棒２２の先端よりそれぞれ挿通させて嵌め込んでいき、毛髪除去部材３の本体底部３０をキャッチ部材２の基底部２１に当接（又は近接）させて重ね合わせた状態で使用するもので、前記の状態で排水口に配設する。
【００２１】
そして、ヘアキャッチャー１として使用した後、毛髪除去部材３の把手部３５を摘まんで排水口より取り出し、キャッチ部材２と毛髪除去部材３の把手部３５とを摘まんで引き離していき、毛髪除去部材３をキャッチ部材２のキャッチ棒２２から引き抜いて外すことで、キャッチ棒２２に引っ掛かっている毛髪を毛髪除去部材３の挿通孔３１の周縁の除去部３３でこそげ落としたり引き抜くようにして除去するものである。また毛髪除去部材３の表面に付着している毛髪は手で容易に除去することができる。
【００２２】
以上のような構成によれば、ヘアキャッチャー１のキャッチ棒２２に引っ掛かった毛髪を除去するにあたり、従来のようにそれぞれのキャッチ棒２２に引っ掛かった毛髪を指で直接摘まんで引き抜くことなく、毛髪除去部材３をキャッチ部材２から引き抜いて外すだけで除去することができ、手をそれ程汚すことなく且つ容易に作業を行うことができるものである。
【００２３】
なお、図示はしないが、上述したへキャッチャーの上方にカバーを設けてもよいものである。
【図面の簡単な説明】
【００２４】
【図１】本発明のヘキャッチャーの一実施形態の斜視図である。
【図２】同上におけるキャッチ部材の斜視図である。
【図３】同上における毛髪除去部材の斜視図である。
【符号の説明】
【００２５】
１    ヘアキャッチャー
２    キャッチ部材
２１  基底部
２２  キャッチ棒
３    毛髪除去部材
３０  本体底部
３１  挿通孔
３３  除去部
３２  排水用孔
３４  水抜き孔
３５  把手部
３５ａ  縦片
３５ｂ  横片
【図１】
2009052348.tif 000003
【図２】
2009052348.tif 000004
【図３】
2009052348.tif 000005